(57)【要約】【課題】電波時計の機能を容易かつ安価に実現することが可能な電波時計放送波の受信回路を提供する。【解決手段】電波時計放送波の受信信号を周波数変換器２３によって変換したＡＭラジオ放送帯の周波数の信号を、第１の高周波増幅器１３、発振器１５、中間周波数の信号を生成する周波数混合器１４、中間周波数の信号を増幅する中間周波増幅器１７、及び検波器１８を含んで構成されるヘテロダイン方式のＡＭラジオ受信機の第１の高周波増幅器１３に入力し、検波器１８から出力される電波時計放送波の復調信号に基づいて時刻補正を行うようにする。【選択図】  図１
2006105668.tif 000002
【特許請求の範囲】
【請求項１】
ＡＭラジオ放送波の受信信号を増幅する第１の高周波増幅器と、発振器と、前記第１の高周波増幅器から出力される信号に前記発振器によって生成される第１の周波数の発振信号を混合することにより中間周波数の信号を生成する周波数混合器と、前記中間周波数の信号を増幅する中間周波増幅器と、前記中間周波増幅器から出力される信号を復調した信号を生成する検波器と、を含んで構成されるＡＭラジオ放送波を受信する回路と、
電波時計放送波の受信信号を増幅する第２の高周波増幅器と、
第３の周波数の発振信号を混合することにより前記第２の高周波増幅器から出力される信号をＡＭラジオ放送波帯の周波数の信号に変換する周波数変換器と、
前記周波数変換器によって変換された前記ＡＭラジオ放送帯の周波数の信号を前記第１の高周波増幅器に入力し、前記検波器から出力される前記電波時計放送波の復調信号を当該復調信号に基づいて時刻補正を行う回路に供給する制御回路と、
を備えることを特徴とする電波時計放送波の受信回路。
【請求項２】
ＡＭラジオ放送波の受信信号を増幅する第１の高周波増幅器と、発振器と、前記第１の高周波増幅器から出力される信号に前記発振器によって生成される第１の周波数の発振信号を混合することにより中間周波数の信号を生成する周波数混合器と、前記中間周波数の信号を増幅する中間周波増幅器と、前記中間周波増幅器から出力される信号を復調した信号を生成する検波器と、を含んで構成されるＡＭラジオ放送波を受信する回路と、
電波時計放送波の受信信号を増幅する第２の高周波増幅器と、
第３の周波数の発振信号を混合することにより前記第２の高周波増幅器から出力される信号をＡＭラジオ放送波帯の周波数の信号に変換する周波数変換器と、
前記第１の高周波増幅器に前記ＡＭラジオ放送波の受信信号を入力し、前記復調信号を低周波増幅器に出力することによりＡＭラジオ放送を再生する第１の動作モードと、前記周波数変換器によって変換された前記ＡＭラジオ放送帯の周波数の信号を前記第１の高周波増幅器に入力し、前記検波器から出力される前記電波時計放送波の復調信号を、この復調信号に基づいて時刻補正を行う回路に供給する第２の動作モードと、の２つの動作モードを切り替える制御回路と、
を備えることを特徴とする電波時計放送波の受信回路。
【請求項３】
ＡＭラジオ放送波の受信信号を増幅する第１の高周波増幅器と、第１の発振器と、前記第１の高周波増幅器から出力される信号に前記第１の発振器によって生成される第１の周波数の発振信号を混合することにより第１の中間周波数の信号を生成する第１の周波数混合器と、第２の発振器と、前記第１の周波数混合器が生成する前記第１の中間周波数の信号に前記第２の発振器によって生成される第２の周波数の発振信号を混合することにより第２の中間周波数の信号を生成する第２の周波数混合器と、前記第２の中間周波数の信号を増幅する中間周波増幅器と、前記中間周波増幅器から出力される信号を復調した信号を生成する検波器と、を含んで構成されるＡＭラジオ放送波を受信する回路と、
電波時計放送波の受信信号を増幅する第２の高周波増幅器と、
第３の周波数の発振信号を混合することにより前記第２の高周波増幅器から出力される信号をＡＭラジオ放送波帯の周波数の信号に変換する周波数変換器と、
前記第１の高周波増幅器に前記ＡＭラジオ放送波の受信信号を入力し、前記復調信号を低周波増幅器に出力することによりＡＭラジオ放送を再生する第１の動作モードと、前記周波数変換器によって変換された前記ＡＭラジオ放送帯の周波数の信号を前記第１の高周波増幅器に入力し、前記検波器から出力される前記電波時計放送波の復調信号を、この復調信号に基づいて時刻補正を行う回路に供給する第２の動作モードと、の２つの動作モードを切り替える制御回路と、
を備えることを特徴とする電波時計放送波の受信回路。
【請求項４】
請求項１または２に記載の電波時計放送波の受信回路であって、
前記第３の周波数の発振信号は、前記発振器によって生成されること
を特徴とする電波時計放送波の受信回路。
【請求項５】
請求項３に記載の電波時計放送波の受信回路であって、
前記第３の周波数の発振信号は、前記第１の発振器又は前記第２の発振器によって生成されることを特徴とする電波時計放送波の受信回路。
【請求項６】
請求項１または２に記載の電波時計放送波の受信回路であって、
前記発振器はＰＬＬ周波数シンセサイザであることを特徴とする電波時計放送波の受信回路。
【請求項７】
請求項３に記載の電波時計放送波の受信回路であって、
前記第１の発振器又は前記第２の発振器はＰＬＬ周波数シンセサイザであることを特徴とする電波時計放送波の受信回路。
【請求項８】
請求項２または３に記載の電波時計放送波の受信回路であって、
前記制御回路は、前記時刻補正が終了した場合に前記第２の動作モードから前記第１の動作モードへの切り替えを行うことを特徴とする電波時計放送波の受信回路。
【請求項９】
請求項１または２に記載の電波時計放送波の受信回路であって、
前記制御回路は、前記第２の動作モードで動作している期間においてのみ前記第３の周波数の発振信号を生成するように前記発振器を制御すること
を特徴とする電波時計放送波の受信回路。
【請求項１０】
請求項３に記載の電波時計放送波の受信回路であって、
前記制御回路は、前記第２の動作モードで動作している期間においてのみ前記第３の周波数の発振信号を生成するように前記第１の発振器又は前記第２の発振器を制御すること
を特徴とする電波時計放送波の受信回路。
【請求項１１】
請求項１〜３のいずれかに記載の電波時計放送波の受信回路であって、
前記制御回路はＣＰＵを含んで構成され、
前記ＣＰＵは、前記検波器が生成する前記電波時計放送波の復調信号を前記時刻補正を行う回路に供給すること
を特徴とする電波時計放送波の受信回路。
【請求項１２】
請求項２または３に記載の電波時計放送波の受信回路であって、
ユーザが時刻補正を開始する旨を指示するためのユーザインタフェースを有し、
前記制御回路は、前記ユーザインタフェースに対して前記時刻補正を開始する旨の操作がなされると前記第１の動作モードから前記第２の動作モードへの前記切り替えを行うこと
を特徴とする電波時計放送波の受信回路。
【請求項１３】
請求項１〜３のいずれかに記載の電波時計放送波の受信回路であって、
前記ＡＭラジオ放送波の受信信号及び前記電波時計放送波の受信信号の双方を受信可能な単一のアンテナを含み、
前記第１の高周波増幅器に入力されるＡＭラジオ放送波の受信信号と、前記第２の高周波増幅器に入力される電波時計放送波の受信信号は、いずれも前記アンテナにより受信される信号であること
を特徴とする電波時計放送波の受信回路。
【請求項１４】
請求項１または２に記載の電波時計放送波の受信回路であって、
前記第１の周波数混合器と前記中間周波増幅器との間にバンドパスフィルタが介在することを特徴とする電波時計放送波の受信回路。
【請求項１５】
請求項３に記載の電波時計放送波の受信回路であって、
前記第１の周波数混合器と前記第２の周波数混合器との間に第１のバンドパスフィルタが介在し、
前記第２の周波数混合器と前記中間周波増幅器との間に第２のバンドパスフィルタが介在すること
を特徴とする電波時計放送波の受信回路。
【発明の詳細な説明】
【技術分野】
【０００１】
この発明は、電波時計放送波の受信回路に関し、とくに電波時計の仕組みを小型で実装容易かつ安価に実現するための技術に関する。
【背景技術】
【０００２】
昨今のラジオやカーオーディオ、ホームオーディオ等の製品の多くは時計機能を有している。これらの製品に実装されている時計回路の多くは水晶発振器を用いるものである。ここで水晶発振器を用いた回路の場合、１日では±１乃至５秒程度、１月では３０秒乃至１５０秒程度のズレが生じるため、その精度を向上するには限界がある。
【特許文献１】特開２００４−８００７３号公報
【発明の開示】
【発明が解決しようとする課題】
【０００３】
時刻の精度を向上するには電波時計を採用することが考えられる。しかしながら、電波時計を実装するには、標準電波（４０ｋＨｚ〜８０ｋＨｚ）を受信するための回路（例えば特許文献１を参照）が必要となり、これを上記のような製品に組み込む際には省スペース化や低コスト化といった課題を解決する必要がある。
【０００４】
本発明はこのような課題に鑑みてなされたもので、小型で実装容易かつ安価に実現することができる電波時計放送波の受信回路を提供することを目的とする。
【課題を解決するための手段】
【０００５】
上記目的を達成するための本発明のうち主たる発明は、電波時計放送波の受信回路であって、ＡＭラジオ放送波の受信信号を増幅する第１の高周波増幅器と、発振器と、前記第１の高周波増幅器から出力される信号に前記発振器によって生成される第１の周波数の発振信号を混合することにより中間周波数の信号を生成する周波数混合器と、前記中間周波数の信号を増幅する中間周波増幅器と、前記中間周波増幅器から出力される信号を復調した信号を生成する検波器と、を含んで構成されるＡＭラジオ放送波を受信する回路と、電波時計放送波の受信信号を増幅する第２の高周波増幅器と、第３の周波数の発振信号を混合することにより前記第２の高周波増幅器から出力される信号をＡＭラジオ放送波帯の周波数の信号に変換する周波数変換器と、前記周波数変換器によって変換された前記ＡＭラジオ放送帯の周波数の信号を前記第１の高周波増幅器に入力し、前記検波器から出力される前記電波時計放送波の復調信号を当該復調信号に基づいて時刻補正を行う回路に供給する回路と、を備えることとする。
【０００６】
本発明の電波時計放送波の受信回路は、ＡＭラジオ放送波を受信する回路を構成している第１の高周波増幅器、周波数混合器、発振器、バンドパスフィルタ（ＢＰＦ）、中間周波増幅器、検波器等を利用して電波時計放送波の受信及び復調を行う。このため、電波時計放送波の受信回路を小型で実装容易かつ安価に実現することができ、例えばラジオやカーオーディオ、ホームオーディオ等に容易に組み込むことができる。
【発明の効果】
【０００７】
本発明によれば、電波時計の仕組みを小型で実装容易かつ安価に実現することができる。
【発明を実施するための最良の形態】
【０００８】
以下、本発明の一実施形態につき図面を参照しつつ説明する。図１に本発明の一実施形態として説明する受信回路１を示している。受信回路１は、電波時計の機能を実現するほか、ＡＭラジオの放送（５００ｋＨｚ〜２０００ｋＨｚ程度）の再生も行うことができる。
【０００９】
図１において、ＡＭラジオ放送の再生機能は、ＡＭラジオの放送波の帯域（５００ｋＨｚ〜２０００ｋＨｚ程度）において利得を有するアンテナ（ＡＮＴ）１１ａ、第１の入力回路１２、第１の高周波増幅器１３、周波数混合器１４、発振器１５ａ、バンドパスフィルタ（ＢＰＦ）１６、中間周波増幅器１７、検波器１８、低周波増幅器１９、スピーカ２０によって構成されるシングルスーパーヘテロダイン方式の受信回路（以下、ＡＭラジオ放送波の受信回路と称する）によって実現される。アンテナ（ＡＮＴ）１１ａによって受信され電気信号に変換されたＡＭラジオ放送波の受信信号は、インピーダンス整合回路及び同調回路を含む第１の入力回路１２に入力される。同調回路で選択された希望周波数の信号は、第１の高周波増幅器１３において増幅された後、周波数混合器１４に入力される。周波数混合器１４は第１の高周波増幅器１３から出力される信号に発振器１５によって生成される第１の周波数の発振信号を混合することにより中間周波数の信号を生成する。
【００１０】
発振器１５ａは、水晶発振回路やＰＬＬ周波数シンセサイザ等の回路であって、マイコン２０から指示された周波数の発振信号を生成する。上記第１の周波数は、ＡＭラジオ放送波の受信信号が５９４ｋＨｚであり、中間周波数が４５５ｋＨｚである場合は５９４ｋＨｚ−４５５ｋＨｚ＝１３９ｋＨｚである。
【００１１】
周波数混合器１４で生成された信号は、バンドパスフィルタ（ＢＰＦ）１６に入力された後、中間周波増幅器（ＩＦ増幅器）１６に入力されて増幅される。中間周波増幅器（ＩＦ増幅器）１６において増幅された信号は、検波器１８に入力されて復調され、その復調信号が低周波増幅器１９に入力され、低周波増幅器１９において増幅されてスピーカ２０に出力する。以上の仕組みによりＡＭラジオ放送波に含まれていた音声信号が再生される。
【００１２】
以上に説明したＡＭラジオ放送の再生機能に対し、電波時計としての機能は、電波放送波の帯域（４０ｋＨｚ〜８０ｋＨｚ程度）において利得を有するアンテナ（ＡＮＴ）１１ｂ、第２の入力回路２１、第２の高周波増幅器２２、周波数変換器２３、発振器１５ｂ、電波時計放送波の受信回路１における各種制御を行う制御回路としてのＣＰＵ及びメモリを含んで構成されるマイコン２４、時刻情報等が表示される液晶表示パネル（ＬＣＤ）２５、バックアップ電池によってノンストップで動作し、水晶発振回路等によって生成される基準周波数に基づいて現在時刻を生成する時計回路２６、時計回路２６が生成する現在時刻を電波時計放送波の受信信号に基づいて補正する時刻補正回路２７によって実現される。
【００１３】
マイコン２４は、時計回路２６によって生成される現在時刻を取得して、対応する時刻をリアルタイムに液晶表示パネル（ＬＣＤ）２５に表示する。またマイコン２４は、検波器１８から入力される電波時計放送波の復調信号から取得される現在時刻を取得して時計回路２６の時刻補正を行う。
【００１４】
ここで電波時計放送波の復調信号は、次のような仕組みによってマイコン２４に供給される。すなわち、アンテナ（ＡＮＴ）１１ｂによって電気信号に変換された電波時計放送波の受信信号は、インピーダンス整合回路及び同調回路を含む第２の入力回路２１に入力される。第２の入力回路２１によって選択された希望周波数の信号は、第２の高周波増幅器２２で増幅されて周波数変換器２３に入力される。
【００１５】
発振器１５ｂは、水晶発振回路やＰＬＬ周波数シンセサイザ等の回路であって、マイコン２０から指示された周波数の発振信号を生成する。周波数変換器２３は、発振器１５ｂによって生成された第３の周波数の発振信号を混合することにより第２の高周波増幅器２２から出力される信号をＡＭラジオ放送波帯の周波数の信号に変換する。ここで上記第３の周波数は、例えば電波時計放送波の受信信号が４０ｋＨｚであり、これを５３０ｋＨｚのＡＭラジオ放送波帯の信号に変換する場合には、５３０ｋＨｚ−４０ｋＨｚ＝４９０ｋＨｚとなる。
【００１６】
周波数変換器２３によって変換されたＡＭラジオ放送波帯の周波数の信号は、第１の高周波増幅器１３に入力された後、周波数混合機１４、バンドパスフィルタ（ＢＰＦ）１６、中間周波増幅器１７、検波器１８を経由することにより復調され、その復調信号がマイコン２４に供給される。このように本実施形態の受信回路１にあっては、ＡＭラジオ放送の再生機能を構成している回路の一部を利用して電波時計放送波が復調されることになる。
【００１７】
以上に説明したＡＭラジオ放送の再生を行う動作状態（以下、第１の動作モードと称する）と、電波時計放送波を受信して復調する動作状態（以下、第２の動作モードと称する）とは、マイコン２４が、第１のスイッチ（ＳＷ１）３１及び第２のスイッチ（ＳＷ２）３２を制御することにより適宜切り替えられる。
【００１８】
第１のスイッチ（ＳＷ１）３１は、第１の高周波増幅器１３の入力側に設けられている。第１のスイッチ（ＳＷ１）３１は、第１の高周波増幅器１３に第１の入力回路１２から供給されるＡＭラジオ放送波の受信信号を入力するのか、それとも周波数変換器２３から供給される電波時計放送波の受信信号を入力するかを選択する。一方、第２のスイッチ（ＳＷ２）３２は、検波器１８の出力側に設けられ、検波器１８の出力を、低周波増幅器１９に入力するのか、それともマイコン２４に入力するのかを選択する。
【００１９】
マイコン２４は、例えばＡＭラジオ放送の再生中に受信回路１に設けられたユーザインタフェースである補正開始スイッチ２８に対して時刻補正を開始する旨の操作が行われた場合に時刻補正に関する処理を開始する。以下において、時刻補正に関する電波時計放送波の受信回路１の具体的な動作について図２に示すフローチャートとともに説明する。
【００２０】
マイコン２４は、補正開始スイッチ２８の状態をリアルタイムに監視している（ステップ２１１）。マイコン２４は補正開始スイッチ２８がオンされたことを検知すると、第１のスイッチ（ＳＷ１）３１及び第２のスイッチ（ＳＷ２）３２を制御して第２の動作モードに切り替える（ステップ２１２）。これにより周波数変換器２３から供給される電波時計放送波の受信信号のみが第１の高周波増幅器１に入力されるようになり、検波器１８の出力はマイコン２４にのみ供給されるようになる。
【００２１】
次にマイコン２４は、検波器１８から入力される電波時計放送波の復調信号から正確な現在時刻を取得して、取得した現在時刻を時刻補正回路２７に出力する（ステップ２１３）。時刻補正回路２７は、マイコン２４から入力される正確な現在時刻に基づいて時計回路２６の時刻補正（時刻合わせ）を行う（ステップ２１４）。時刻補正回路２７は、時刻補正（時刻合わせ）を終了すると、その旨の通知をマイコン２４に送信する（ステップ２１５）。
【００２２】
マイコン２４は、時刻補正回路２７から時刻補正（時刻合わせ）を終了した旨の通知を受信すると（ステップ２１６）、第１のスイッチ（ＳＷ１）及び第２のスイッチ（ＳＷ２）を制御することにより電波時計放送波の受信回路１の動作を第１の動作モードに切り替える（ステップ２１７）。これにより第１の高周波増幅器１３に第１の入力回路１２から供給されるＡＭラジオ放送波の受信信号のみが入力されるようになるとともに、検波器１８の出力は、低周波増幅器１９にのみ供給されるようになる。
【００２３】
以上に説明したように、本実施形態の電波時計放送波の受信回路１は、電波時計放送波の受信を、ＡＭラジオ放送波の受信回路を構成する第１の高周波増幅器１３、周波数混合器１４、発振器１５、バンドパスフィルタ（ＢＰＦ）１６、中間周波増幅器１７、及び検波器１８を利用して行う。このため、電波時計の仕組みを小型で実装容易かつ安価に実現することができ、ラジオやカーオーディオ、ホームオーディオ等に対して容易に実装することが可能である。また本実施形態の電波時計放送波の受信回路１は、他の構成部品に対してコストへの影響の比較的大きなバンドパスフィルタ（ＢＰＦ）１６を、ＡＭラジオ放送の再生と電波時計放送波の受信に共用する構成であるため、製造コストを減らすことができる。
【００２４】
またＡＭラジオ放送波の受信回路を実現するＩＣチップとしては、安価なものが市場に存在するが、これらを利用して本発明の受信回路１を構成することで、電波時計の仕組みを安価に実現できる。さらにＡＭラジオ放送波の受信を目的とせず、もっぱら電波時計放送波の受信のみを目的とする回路を構成するような場合でも、上記ＩＣチップを利用して低コストで電波時計の仕組みを実現できる。また昨今のラジオやカーオーディオ、ホームオーディオ等の製品にはマイコンを実装するものも多いが、これを発振器１５ｂの制御に用いることによっても製造コストを下げることができる。
【００２５】
以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【００２６】
例えば、以上に説明した受信回路１は、周波数変換器２３に供給する第３の周波数の発振信号を生成する発振器１５ｂを、周波数混合機１４に供給する第１の周波数の発振信号を生成する発振器１５ａとは独立して設ける構成であったが、第１及び第２の周波数の発振信号を一つの発振器１５によって生成するようにすることもできる。またＡＭラジオの放送波と電波時計放送波を、一つのアンテナで受信するようにすることもできる。図３はそのような構成とした場合の一例である。同図に示す回路では、発振器１５として第３の周波数の発振信号を生成するものを用いており、第１の周波数はこれを分周器３０で分周することにより生成するようにしている。またＡＭラジオの放送波と電波時計放送波を、双方の帯域について利得を有する一つのアンテナ（ＡＮＴ）１１で受信する構成としている。このように発振器やアンテナを共用する構成とすることで、製造コストをさらに下げることができる。
【００２７】
ＡＭラジオ放送の再生中に電波時計放送波の受信が開始されると、時刻補正が終了するまでＡＭラジオ放送波を再生することができなくなる。そこで電波時計放送波の受信中（第２の動作モードで動作中）にそのことをユーザが知ることができるように、第２の動作モードで動作中に「ただ今、電波時計放送波の受信中です」といったメッセージを映像や音声により出力したり、発光ダイオード（ＬＥＤ）等の表示装置によって知らせるようにしたりしてもよい。
【００２８】
あらかじめ設定された時刻（例えば午前２時等）が到来した場合、受信回路１が第１の動作モードで動作中であれば、マイコン２４が自動的に動作モードを第１の動作モードから第２の動作モードに切り替えることにより自動的に電波時計放送波を受信して時計回路２６の時刻補正を行うようにしてもよい（なお、電波時計放送波の受信回路１が第１の動作モードで動作中でない場合には、第２の動作モードでの動作を自動的に開始するようにする）。またこの場合において、時刻補正が終了すると、マイコン２４が電波時計放送波の受信回路１の動作を第２の動作モードから第１の動作モードに自動的に切り替えるようにしてもよい（なお、電波時計放送波の受信回路１が元々第１の動作モードで動作していない場合は、第２の動作モードでの動作を自動的に停止する）。
【００２９】
以上に説明した受信回路１は、シングルスーパーヘテロダイン方式の場合であったが、本発明はダブルスーパーヘテロダイン方式の場合にも適用することができる。図４にダブルスーパーヘテロダイン方式に適用した場合の回路例を示している。同図に示す回路は、第１の周波数混合器４１とこれに第１の周波数の発振信号を供給する第１の発振器４２ａ、及び第１の周波数混合器４１の後段に接続される第１のバンドパスフィルタ４３、第２の周波数混合器４４とこれに第２の周波数の発振信号を供給する第２の発振器４２ｂ、及び第２の周波数混合器４４の後段に接続される第１のバンドパスフィルタ４６、周波数変換器２３とこれに第３の周波数を供給する第３の発振器４２ｃとが含まれる。なお、ダブルスーパーヘテロダイン方式の場合には、第１の発振器４２ａ又は第２の発振器４２ｂのいずれかに第３の周波数を生成させるようにしてもよい。またダブルスーパーヘテロダイン方式の場合には、第１乃至第３の周波数の全てを一つの発振器によって生成させるようにしてもよい。図５は第１乃至第３の周波数の全てを一つの発振器によって生成させるようにした場合の一例である。同図に示す回路では、発振器４２として第３の周波数の発振信号を生成するものを用い、第１の周波数はこれを第１の分周器５０によって分周することにより、また第２の周波数はこれを第２の分周器５１によって生成するようにしている。なお、図５では図３と同様にＡＭラジオの放送波と電波時計放送波を、これらの双方の帯域について利得を有する一つのアンテナ（ＡＮＴ）１１で受信するようにしている。このように発振器やアンテナを共用する構成とすることで、製造コストをさらに下げることができる。
【００３０】
また周波数変換器２３において必要となる第３の周波数の発振信号は、第２の動作モードでの動作中においてのみ必要である。そこで、例えばシングルスーパーヘテロダイン方式の場合には、第２の動作モードで動作している期間においてのみ第３の周波数の発振信号を生成するようにマイコン２４が発振器１５を制御するようにしてもよい。またダブルスーパーヘテロダイン方式の場合には、第２の動作モードで動作している期間においてのみ第３の周波数の発振信号を生成するように、マイコン２４が第１の発振器４２又は第２の発振器４５を制御するようにしてもよい。このようにすれば消費電力を減らすことができる。
【図面の簡単な説明】
【００３１】
【図１】本発明の一実施形態として説明する、シングルスーパーヘテロダイン方式の受信回路を用いた場合の電波時計放送波の受信回路１のブロック構成を示す図である。
【図２】本発明の一実施形態として説明する、時刻補正に関する電波時計放送波の受信回路１の動作を説明するフローチャートである。
【図３】本発明の一実施形態として説明する、シングルスーパーヘテロダイン方式の受信回路を用いた場合の電波時計放送波の受信回路１のブロック構成を示す図であり、第１及び第２の周波数の発振信号を一つの発振器１５で生成するようにした場合におけるブロック構成を示す図である。
【図４】本発明の一実施形態として説明するダブルスーパーヘテロダイン方式の受信回路を利用した場合の電波時計放送波の受信回路１のブロック構成を示す図である。
【図５】本発明の一実施形態として説明する、ダブルスーパーヘテロダイン方式の受信回路を用いた場合の電波時計放送波の受信回路１のブロック構成を示す図であり、第１乃至第３の周波数の発振信号を一つの発振器４２で生成するようにした場合におけるブロック構成を示す図である。
【符号の説明】
【００３２】
１  ラジオ受信機                        １１  アンテナ（ＡＮＴ）
１２  第１の入力回路                    １３  第１の高周波増幅器
１４  周波数混合器                      １５  発振器
１６  バンドパスフィルタ（ＢＰＦ）      １７  中間周波増幅器
１８  検波器                            １９  低周波増幅器
２０  スピーカ                          ２１  第２の入力回路
２２  第２の高周波増幅回路              ２３  周波数変換器
２４  マイコン                          ２５  液晶表示パネル（ＬＣＤ）
２６  時計回路                          ２７  時刻補正回路
３１  第１のスイッチ（ＳＷ１）          ３２  第２のスイッチ（ＳＷ２）
４１  第１の周波数混合器                ４２  第１の発振器
４３  第１のバンドパスフィルタ（ＢＰＦ）４４  第２の周波数混合器
４５  第２の発振器                      ４６  第２のバンドパスフィルタ（ＢＰＦ）
【図１】
2006105668.tif 000003
【図２】
2006105668.tif 000004
【図３】
2006105668.tif 000005
【図４】
2006105668.tif 000006
【図５】
2006105668.tif 000007